(57)【要約】【課題】  寝具やソファー等に、床のような夏季における冷却作用、或いは、冬季における暖房作用がないので、体を直接冷却したり、或いは、直接暖房することができない。【解決手段】  少なくとも内面が熱圧着性を有する袋体に液状の潜熱形蓄熱材を充填し、更に、前記袋体の表裏面を格子状に熱圧着することによって、前記蓄熱材を分断し、蓄熱材入りの独立した小体積のクッション片を形成し、このクッション片を複数個連結した。【選択図】  図１
2009011688.tif 000002
【特許請求の範囲】
【請求項１】
少なくとも内面が熱圧着性を有する袋体に液状の潜熱形蓄熱材を充填し、更に、前記袋体の表裏面を格子状に熱圧着することによって、前記蓄熱材を分断し、蓄熱材入りの独立した小体積のクッション片を形成し、このクッション片を複数個連結したことを特徴とする冷・暖房機能を持つ敷物。
【請求項２】
４００乃至８００ｋｃａｌの熱を吸熱或いは放熱できる蓄熱材が前記敷物を構成するクッション片に充填され、その高さが５乃至２５ｍｍで、かつ、その体積が４０乃至７００ｍｌに形成されていることを特徴とする請求項１記載の冷・暖房機能を持つ敷物。
【請求項３】
前記蓄熱材は、硫酸ナトリウム十水和物を主体とする潜熱形蓄熱材であり、前記敷物に充填される量が１０乃至３０ｋｇであることを特徴とする請求項１記載の冷・暖房機能を持つ敷物。
【請求項４】
前記冷・暖房機能を持つ敷物は、２８乃至３２℃の温度範囲で潜熱を吸収し、或いは蓄熱していた潜熱を放出することを特徴とする請求項１記載の冷・暖房機能を持つ敷物。
【請求項５】
前記クッション片は、その上に人体を横たえたとき、その人体をクッション片に内蔵された液状蓄熱材の内圧力によって弾性力を発生して支持するように構成されていることを特徴とする請求項１記載の冷・暖房機能を持つ敷物。
【請求項６】
上側の袋と、下側の袋とが近接して設けられており、前記上側の袋に請求項１記載の敷物を入れ、前記下側の袋に前記敷物を加熱する電熱体を入れたことを特徴とする複合敷物。
【請求項７】
上側の袋と、下側の袋とが近接して設けられており、前記上側の袋に請求項１記載の敷物を入れ、前記下側の袋に前記敷物を加熱する電熱体を入れ、この電熱体により前記敷物の少なくとも一部を加熱することを特徴とする複合敷物。
【発明の詳細な説明】
【技術分野】
【０００１】
本発明は、使用者との間で直接的に熱の授受を行うことのできる敷物に関するものである。
【背景技術】
【０００２】
春や秋のように人体にとって快適な季節の気温は２０℃前後であり、人体との温度差は１６℃程度となっている。一方、夏季においては気温が３０℃程度となり、人体との温度差が６℃程度となっている。また、冬季においては気温が０℃程度となって人体との温度差が３６℃程度となっている。
【０００３】
夏季においては、春や秋よりも前記温度差が小さくなるので、体表面から放出される熱が春や秋よりも小さくなり、体内に熱がこもって暑苦しくなっている。また、冬季においては、春や秋よりも前記温度差が大きくなるので、体表面から放出される熱が春や秋よりも大きくなるので、熱が奪われて寒くて凍えることになっている。
【０００４】
従って、春や秋においては特に温調をすることなく快適に過ごすことができるが、夏季においては室温が上昇して暑苦しくなるので窓を開放して外気を室内に採り入れて室温の低下が図られている。しかしながら、この方法では蚊などの虫が室内に侵入したり、ときには不審者が侵入したりすることがあるので、一般には窓を閉め切ってエアコンによって室温の低下が図られている。
【０００５】
また、冬季においては室温が低下して凍えるようなこともあり、ストーブを焚いたり、エアコンを使用したりして室温を上げることが行われている。マンションのように気密性の高い住居においては、火気取扱の問題や換気の問題からエアコンを使用して部屋全体を暖める方法が採用されている。
【０００６】
エアコンは、室内の空気を吸入して冷却したり加熱したりして室内に噴出するようになっているため、人の居住空間にまで温調された空気を到達させるためには、かなりの高速度で空気を噴出させる必要がある。従って、リビングのソファでくつろいでいる人や、ダイニングで食事をとっている人にエアコンから噴出された空気が直接当たって不快感を覚えたり、エアコンのファンの音がうるさくて気になったりする。特に、昼寝や就寝をしているときには、エアコンの風が顔に直接当たるという不快感と、高速で空気を噴出させるファンの音がかなりうるさく感じて睡眠が妨げられることになる。
【０００７】
そこで、一般には、就寝前の１時間乃至２時間程度の間エアコンを運転し、その後はエアコンを停止させることがされている。
【０００８】
日中などの人が活動している時間帯はほぼ連続してエアコンが動作しており、就寝中も連続で運転すると消費電力がかなり大きくなり不経済である。
【０００９】
このような消費電力の問題を解決するために、ウレタン発泡材でヒーターと蓄熱材とを包み込み、ウレタン層を介して人体を加熱する方法が提案されている（例えば、特許文献１）。
【特許文献１】特開２００２−６１８５７号公報
【発明の開示】
【発明が解決しようとする課題】
【００１０】
前記特許文献１に記載された構造の装置は、蓄熱材とヒーターとがウレタンに包み込まれて形成されており、厚さがかなり大きなものとなっている。従ってベッドのような大型の寝具にしか適用することができないものであり、その取り扱い性が悪いのでホテルは勿論、病院などにも使用された例はないようである。
【００１１】
ところで、例えば、夏季のように外気温の上昇に伴って室温が上昇し、暑苦しい状態となっていても床面の温度は意外に低く、この上にシーツを敷いて寝転がれば床のヒンヤリとした温度が火照っている体には、ヒンヤリとした心地よさを与える。
【００１２】
また、冬季において床暖房された床の上に毛布を敷き、その上に冷えた体を横たえた場合には、床暖房の温度がそのまま体に伝達されて心地よい暖かさを感ずる。
【００１３】
ところが、夏季においてヒンヤリとして気持ちのよい床面は、人体からの放熱により暖められてしまい、ヒンヤリ感が長時間持続しなかった。また、ヒンヤリ感が持続するように床面を冷水によって冷却する床冷房が知られているが、施工業者による大がかりな工事が必要であったり、毛布や布団のように自由に持ち運ぶことはできない。
【００１４】
また、前記床暖房装置は床板の裏側に温水が流通する配管が張り巡らされており、この工事は専門業者によって行われるものであり、床冷房装置同様にかなり大がかりなものとなっている。従って、毛布や布団のように使用者が自由に持ち運んだりすることはできない。
【００１５】
しかしながら、寝具やソファー等に、前記の床のような夏季における冷却作用、或いは、冬季における暖房作用があれば、エアコンを長時間使用することもなく、体を直接冷却したり、或いは、直接暖房することができ、従来にはない快適な暖冷房を行うことができるのである。
【００１６】
このような体を直接冷却したり、或いは、直接暖房したりする寝具であって、持ち運び性や取り扱い性に優れたものがあれば、通常の布団のように誰でも簡単に使用することが可能であるが、このような暖冷房機能を有する寝具や敷物類は全く提案されていない。
【００１７】
ところで、人体表面は一年を通してほぼ３０℃であり、布団の中の温度も３０℃であることがしられており、冬季において布団の中の温度が３２℃であると極めて心地よい暖かさを感ずること、また、夏季において布団の中の温度が２８℃であると爽快な涼しさを感ずるということが知られている。また、健康な普通人で、体表面から放出される熱は約５２ｋｃａｌ／ｈであるということも知られている。そして、暑くも寒くもない快適な温度領域としての２８℃乃至３２℃が人間にとっての至適温度であることが知られている（三浦豊彦著、「暑さ寒さと人間」、中央公論社、昭和52年7月25日発行）。
【００１８】
本発明は、これらの知見に基づいてなされたのであって、夏季は使用者の熱を吸熱すると共に布団の中の温度を２８℃程度に保持し、冬季は使用者に熱を付与すると共に布団の中の温度を３２℃に保持するようにしたのである。
【課題を解決するための手段】
【００１９】
前記課題を解決するべく、本発明に係る冷・暖房機能を持つ敷物は、
１）少なくとも内面が熱圧着性を有する袋体に液状の潜熱形蓄熱材を充填し、更に、前記袋体の表裏面を格子状に熱圧着することによって、前記蓄熱材を分断し、蓄熱材入りの独立した小体積のクッション片を形成し、このクッション片を複数個連結したことを特徴としている。
【００２０】
２）４００乃至８００ｋｃａｌの熱を吸熱或いは放熱できる蓄熱材が前記敷物を構成するクッション片に充填され、その高さが５乃至２５ｍｍで、かつ、その体積が４０乃至７００ｍｌに形成されていることを特徴としている。
【００２１】
３）前記蓄熱材は、硫酸ナトリウム十水和物を主体とする潜熱形蓄熱材であり、前記敷物に充填される量が１０乃至３０ｋｇであることを特徴としている。
【００２２】
４）前記冷・暖房機能を持つ敷物は、２８乃至３２℃の温度範囲で潜熱を吸収し、或いは蓄熱していた潜熱を放出することを特徴としている。
【００２３】
５）前記クッション片は、その上に人体を横たえたとき、その人体をクッション片に内蔵された液状蓄熱材の内圧力によって弾性力を発生して支持するように構成されていることを特徴としている。
【００２４】
６）上側の袋と、下側の袋とが近接して設けられており、前記上側の袋に請求項１記載の敷物を入れ、前記下側の袋に前記敷物を加熱する電熱体を入れたことを特徴としている。
【００２５】
７）上側の袋と、下側の袋とが近接して設けられており、前記上側の袋に請求項１記載の敷物を入れ、前記下側の袋に前記敷物を加熱する電熱体を入れ、この電熱体により前記敷物の少なくとも一部を加熱することを特徴としている。
【発明の効果】
【００２６】
従来の寝具や敷物類は使用者との間で熱の授受がなされることはなかったが、本発明に係る敷物は蓄熱材と使用者とを近接させたので、使用者と蓄熱材との間で熱の授受が直接的に行われるようになる。従って、夏季は使用者の余分な熱（火照り）を取り除き、一方の冬季では使用者に熱を付与して人体を暖めることができ、使用者が一年を通して快適に過ごせるようになる。特に、ベッドや布団の中でベッドパッドのように使用すると、布団の中が心地よい温度に保たれるので極めて快適に就寝することができる。また、ソファーや椅子に敷いて使用し、快適にくつろぐこともできる。
【００２７】
蓄熱材を封入した敷物は、その蓄熱材がジェル状或いは液体中に固体が分散したような状態となっているのでふっくらと柔らかくて使用者に気持ちの良い感触を与える。また、蓄熱材はクッション片に充填されて弾性を有しているので、本発明に係る敷物上に横たわったり、腰掛けたりする使用者が弾力を持って支持される。
【００２８】
また、前記敷物は通常の布団や毛布のように気軽に持ち運ぶことができる。その上、折り畳みも可能であるので布団と共に畳んだり、布団とは別に畳んで収納することができる。また、座布団として使用したり、自動車の座席に敷いたりして使用することができる。
【００２９】
更に、蓄熱材がクッション片に充填されているので、使用者が本発明に係る敷物に腰掛けたり寝ころんだりしても蓄熱材が周辺部に逃げてしまったり、蓄熱材が偏在したりすることが防止され、常に均一に蓄熱材が充填された状態が保たれ、吸熱或いは放熱のムラが生じないようになっている。同様に、縦にしたり横にしたりして収納しても蓄熱材が偏在しない。
【００３０】
蓄熱材を分断して細分化したことにより、潜熱形蓄熱材が熱を吸収して固体状態から液体状態となり、また熱を放出して液体状態から固体状態となる相変化を繰り返しても過冷却現象を生ずることが防止され、長期に亘って使用することができる。
【発明を実施するための最良の形態】
【００３１】
（実施例１）
図１は、本発明に係る敷物Ａをベッド２０で使用した状態を示す概略図であり、図２は図１に示すベッド２０で使用者Ｍが敷物Ａを敷いて寝ている状態の側面図である。本実施例においては、本発明に係る敷物Ａは所謂ベッドパッドであり、前述のように図１のようにベッド２０のマットレス２２の上に敷いて使用される。
【００３２】
敷物Ａは、図３に示すように上側の袋１２ａに収納されており、電熱体ｈが下側の袋１２ｂに収納され、上側の袋１２ａと下側の袋１２ｂとが近接して一体的となって形成されている。
【００３３】
そして、図２に示すように、使用者Ｍが敷物Ａの上に仰向けに寝ている状態では、使用者Ｍの体型に沿って敷物Ａが変形して人体を支持するので、敷物が人体と密着状態となって熱の授受が効率よく行われるのである。
【００３４】
サイズとしてはシングルサイズ、ダブルサイズ、クイーンサイズ等に適した幅や長さとなっている。
【００３５】
図５は、電熱体ｈを用いない場合の敷物Ａを示すものであり、図３に示す敷物と同様に使用されるものである。
（敷物Ａ）
前記蓄熱材を封入した敷物Ａは、図６乃至図７に示すように多数の間仕切り１ａ（熱圧着痕）が格子状に形成されており、充填された蓄熱材３は分断されて細分化されている。また、敷物Ａは、図５に示すように熱圧着性に優れた直鎖状低密度ポリエチレン（ＬＬＤＰＥ）フィルムにナイロンフィルムを積層した積層フィルムを用いた。この積層フィルムのＬＬＤＰＥ層を内側にして熱圧着によりシール１ｃを形成し、蓄熱材３が充填される袋が形成される。このシール１ｃは、敷物Ａが使用された際に蓄熱材３に負荷された圧力によってシールが破壊されないように５乃至７ｍｍ程度の幅で形成されている。
【００３６】
前記間仕切り１ａは、幅が１ｍｍ程度の突条を有するプレス機で形成されており、この間仕切り１ａによって複数のクッション片１（蒲鉾状弾性体）が形成されている。
【００３７】
また、約１ｍｍの幅の突条が形成されたプレス機で複数の間仕切り１ａを格子状に形成し、複数のクッション片１（蒲鉾状弾性体）が形成される。
【００３８】
前記クッション片１は、シングルサイズで幅方向に８列（敷物の幅は約１，１５０ｍｍ）、セミダブルサイズでは１１列（敷物の幅１，５８０ｍｍ程度）、クイーンサイズは１４列（敷物の幅約２，０１０ｍｍ）形成されている。一列あたりの幅は約１４４ｍｍである。
【００３９】
前記積層フィルムを構成するＬＬＤＰＥフィルム１ｅは厚さが１５０μｍ、ナイロンフィルム１ｄは厚さが１５μｍとなっており、このナイロンフィルム１ｄは前記ＬＬＤＰＥフィルム１ｅが蓄熱材の分子を透過してしまうのでこれが外部に漏れ出さないようにするバリア層として機能している。なお、前記各フィルムの厚さは敷物Ａの強度などにより決定されるのであって、前記厚さに限定されるものではない。
【００４０】
また、前記積層フィルムは柔軟性に富んでおり、この積層フィルムから構成される敷物Ａも柔軟性に優れている。よって、取扱性の良いコシを有する大きさとしてベッド２０の長手方向に２５０ｍｍ、幅方向に９００乃至１，２００ｍｍの大きさに形成されている。幅方向は、コシを有しかつ使用者が寝返りできる大きさとなっている。
【００４１】
また、弾力性の調節と耐久性とから前記クッション片１の大きさはベッド２０の長手方向に２５０ｍｍ、幅方向に５０乃至１５０ｍｍ、厚さ５乃至１００ｍｍに形成され、一枚の敷物Ａに６乃至２４個のクッション片が形成されている。更に、クッション片１の体積は４４乃至３５０ｍｌとなっており、ベッド２０の上に敷かれている敷物Ａ全体としての蓄熱材が１０〜２０ｋｇとなるように前記クッション片１に蓄熱材３が充填されている。この実施例においては７枚の敷物Ａが使用されて一体となっており、一枚当たりの蓄熱材は約１．５乃至３ｋｇとなっている。
【００４２】
前記クッション片はその大きさが長手方向或いは幅方向に大きくなると、蓄熱材が移動できる空間が広がるのでクッション片が柔らかくなり、一方、クッション片が小さくなると蓄熱材が移動できる空間が狭まることからクッション片が硬くなるという性質を有している。従って、例えば、本実施例においては人体の肩部や臀部に接触する箇所のクッション片は小さく形成したり、背中に位置するクッション片は大きく形成したりし、就寝中の人体のカーブを均等に支持するように形成されている。また、臀部や肩部、背中など人体を支持しているときのクッション片の弾力は、クッション片の表裏が接触しない程度の固さを有していることをいう。
【００４３】
また、使用者Ｍの頭部に位置する敷物Ａの厚みを大きくし、図３に示すようにマクラ２のようにすることもできる。即ち、本発明に係る敷物Ａと同じ構造でマクラを形成することができるのである。そして、水枕のように冷たすぎたり、すぐに生暖かくなったりすることはない。
（蓄熱材の種類と充填量）
人体の体表面から放出される熱量は約５２ｋｃａｌ／ｈであり、就寝時間が４時間乃至８時間の範囲とすると、その就寝中の熱量は２０８乃至４１６ｋｃａｌ程度となる。従って、この熱量に対応した吸熱量或いは放熱量を有するように十分な量の蓄熱材が使用されている。
【００４４】
この蓄熱材としては硫酸ナトリウム十水和物が使用されており、前述の快適温度である２８乃至３２℃の温度範囲において、結晶が析出し始めたり結晶が融けたりする温度領域（結晶混合帯域）を有していることを特徴としている。
【００４５】
図１２を参照し、前記結晶混合帯域における温度変化と熱の関係ついて説明をする。
【００４６】
冬季の暖房の場合、硫酸ナトリウム十水和物を室温（１５℃程度）から４０℃にまで暖めた場合は、１５℃から２８℃近辺までは直線的、かつ急速に温度が上昇（顕熱による第一温度上昇）しているが、２８℃近傍から温度上昇が極めて緩やかとなっている。この２８度近傍から温度上昇が緩やかとなる帯域において、硫酸ナトリウム十水和物は結晶が徐々に溶解して液体となる相変化を起こし、その間に潜熱を蓄熱していき、このときの蓄熱量は約４２ｋｃａｌ／ｋｇである。前記相変化が終わるまで前記蓄熱量が蓄えられる。そして結晶が液体となって蓄熱量が充足されると、即ち３２℃近傍から再び直線的に温度が急上昇（顕熱による第二温度上昇）する。
【００４７】
前記暖房と逆の過程については、硫酸ナトリウム十水和物を４０℃から室温にまで放冷すると、４０℃から３２℃付近までは顕熱の放出により直線的で急速に温度低下（顕熱による第一温度低下）するが、３２℃近傍からほとんど温度が低下しなくなるが、この現象は先に加熱されたときに蓄熱した潜熱を徐々に放出しているからであり、潜熱の放出に伴って結晶が徐々に析出する段階である。液体が結晶となって潜熱を放出し終えると、２８℃近傍から再び顕熱を放出して直線的に温度が低下する（顕熱による第二温度低下）。
【００４８】
本発明においては、前述した温度がほとんど変化しなくなる帯域、即ち結晶が消滅しつつある状態或いは結晶が析出しつつある状態である結晶混合帯域と、前述の人体が快適に感ずる「至適温度」とが一致しているので、潜熱を利用して２８℃で冷やし続けたり或いは３２℃で暖め続けたりすることができるのである。
【００４９】
また、硫酸ナトリウム十水和物の潜熱は約４０ｋｃａｌ／ｋｇであるので、前記人体が一晩に発する熱量を十分に吸熱するように１０乃至３０ｋｇが使用されており、その熱量は４００乃至１，２００ｋｃａｌとなる。
【００５０】
更にまた、前述の熱量５２ｋｃａｌ／ｈは若者であり、老人は約３０ｋｃａｌ／ｈ程度となるので、十分な蓄熱材の量が充填されているのである。
【００５１】
なお、前記硫酸ナトリウム十水和物中に金属繊維（防食被膜等により防食処理されたもの）を混入し、熱伝導性の向上が図られている。
（収納袋）
収納袋１２は、綿等の布製であり、吸湿性や通気性の良いものが使用されている。また、上側の袋１２ａと下側の袋１２ｂとの間には布帛１０が設けられており、前記袋と同様の布製や合成樹脂製のフィルム等が使用されている。
【００５２】
上側の袋１２ａは、本実施例においては７枚の敷物Ａを使用しているので、この敷物Ａを一枚ごとに収容できるようになっている。また、敷物Ａを出し入れできるようにファスナーが設けてあり、通常は収容した敷物Ａが取り出されないようにファスナーが閉じられている。
【００５３】
従って、使用者の体格や好みに合わせて、厚みの異なる敷物Ａを組み合わせたり、クッション片の大きさが異なり固さが調整された敷物Ａに交換することができるようになっている。
【００５４】
一方、下側の袋１２ｂはベッド２０の長手方向に２０００ｍｍ、幅方向に５２０ｍｍ程度の大きさとなっており、１枚の面状ヒーター（１９５０ｍｍ×５００ｍｍ）、或いは２枚の面状ヒーター（１９５０ｍｍ×２２０ｍｍ）を収容した状態でこのヒーターが収納袋の内部で移動しないようになっている。
【００５５】
そして、上側の袋１２ａと、下側の袋１２ｂとが近接した状態で一体的となっている。
（電熱体）
前記電熱体は面状ヒーターであって、ＰＴＣ特性を有するものが使用されている。詳しくは、本発明者が開発したプラヒート（ミサトの登録商標）が採用されており、極めて高い安全性が確認されているものである。
【００５６】
本実施例においては、図１２に示すように前記面状ヒーターの両側部に長手方向に延長して設けられたそれぞれの電極間に、電流方向に沿って複数のスリットが形成され、折り曲げや使用者による押圧に応じて変形しやすくなっている。また、消費電力は２０Ｗ程度のものが使用されている。
【００５７】
以下、本実施例における寝具の使用方法を説明する。
（夏場における使用方法）
１）図１に示すように、ベッド２０のマットレス２２等の上に本発明に係る敷物Ａを敷き、掛け布団や毛布などで覆われないようにこれらをまくり上げておく。
２）室温が２６℃程度となるようにエアコン４０を運転する（就寝する前の２時間程度）。
３）エアコン４０を停止させ、室温程度（２６〜２７℃程度）に冷却された敷物Ａの上に横たわり就寝する。
４）一晩中布団の中の温度がほぼ２８℃に保たれ、心地よい爽快な涼しさを感じながら起床する。
【００５８】
なお、夏場は電熱体ｈを取り外し、丸めて収納しておいてもよい。
（冬場における使用方法）
１）図１に示すように、ベッド２０のマットレス２２等の上に本発明に係る敷物Ａを敷き、掛け布団や毛布などでこの敷物を覆う。
２）就寝の約２時間前に電熱体ｈの電源を入れ、蓄熱材を約３２℃強に加温する。
３）電熱体ｈの電源を切り、敷物Ａの上に横たわり就寝する。
４）一晩中布団の中の温度がほぼ３２℃に保たれ、心地よい暖かさを感じながら起床する。
【００５９】
本実施例により、電気毛布のように一方的に人体へ熱が付与されるのではなく、人体が快適に感ずる温度となるように蓄熱材と人体との間で熱の授受が行われ、また、その熱の授受が穏やかに行われるので、極めて快適な心地よさを感ずることができるのである。
【００６０】
また、夏季においては、寝始めは体の火照りもあり蓄熱材との温度差が比較的大きくなるので、蓄熱材が素早く体の火照りを取り除くこととなり、その後は穏やかに吸熱するようになるので心地よく就寝することができる。
【００６１】
また、電気毛布や蓄熱装置を組み込んだマットレスは冬期限定で使用されるものであったが、本発明の寝具は夏季も冬季も使用することができる。また、春や秋などの睡眠に適した時期であっても通常のベッドパッドのように使用することができ、また、穏やかな熱の授受が行われるので、体が火照っているときには吸熱し、少し冷えたときには熱が付与されるので、一年を通じて使用することができる。
【００６２】
また、本発明の寝具は、収納袋とバッグと面状ヒーターとが簡単に分離できるので、収納袋を定期的に洗濯したり、夏季は面状ヒーターを取り外したりできる。
【００６３】
従来のシーツやベッドパッドのように使用することができ、折り畳んだり丸めたりすることもできるので、旅館やホテル等の宿泊施設において大量に使用することもできる。
【００６４】
そして、蓄熱材の過冷却現象が防止されるので、長期に亘って使用することができる。
【００６５】
蓄熱材を可撓性のバッグに封入したことによりぷよぷよ感が増し、これが体に密着することでとても気持ちよい感触が得られる。
【００６６】
なお、バッグには、熱伝導性を向上させるために蓄熱材側と人体側との面にアルミ箔を接着してもよい。或いは、好みに合わせて人体側からの吸熱を抑制することを目的としてバッグのフィルムを厚くしたり、別のフィルムを貼り付けたりすることもできる。
【００６７】
なお、袋に入れずに、ベッドの上にヒーターと蓄熱材とを載置し、これの上にシーツを敷いた状態で使用することもできる。
【００６８】
また、ソファーに敷いたり、或いは、椅子の座席に敷いたり背もたれにかけたりして使用することもできる。
【００６９】
更には、敷物を数枚積み重ね状態として恰もウォーターベッドのようにすることもできる。これにより、弾力性と人体の沈込み性とが向上するのである。即ち、ウォーターベッドのように体圧分散効果が一層高まるので、人体の中で臀部や肩といった圧力の集中する箇所の負荷が軽減され、更に背骨が自然な状態となるのである。しかも一年を通して２８乃至３２℃の温度に保持されるので快適に使用することができる。また、ウォーターベッドは５００ｋｇのものや１，０００ｋｇを超えるものがあるが、本発明に係る敷物は数枚積み重ねても数十ｋｇであるので、ベッドでも布団でもソファー等でも使用することができる。
【００７０】
更にまた、クッション片１に充填された蓄熱材３は分断されているので使用者が寝返りを打ったり、腰掛けたりしたときの振動が全体にまで伝わって揺れ動くことが防止されている。
（実施例２）
本実施例は、ベッドの長手方向の敷物の略半分のみを電熱体により暖めるようにしたものである。詳しくは図１４に示すように、敷物Ａの半分程度の幅を有する面状ヒーターが使用されている。また、蓄熱材は各クッション片１が分断されており、ヒーターｈが敷かれていないクッション片１が暖められないようになっている。
【００７１】
本実施例により、図１４の下側半分に寝転がった場合には心地よい暖かさが感じられ、直ぐ隣（図１４の上側）に寝返りを打てば心地よい冷たさを感ずることができる。
（実施例３）
本実施例は、人体表面の約半分を占める背中と臀部とが直接接触する座席に注目し、この座席に本発明に係る敷物を組み込んだものである。
【００７２】
図１５に示すように、座席５０の表面近傍から敷物Ａ、電熱体ｈの順に配設されている。このような座席は、特に自動車等の座席に適しているものである。
【００７３】
自動車等の居住空間は、住宅等のそれと比較してかなり狭いものとなっており、カーエアコンによる空調が人体に与える影響が大きい。カーエアコンにより直ぐに湿度が低下してしまうので、乾燥した空気によって鼻などの呼吸器系を痛めてしまうことがある。また、直接人体に風が吹き付けるようになっていることもあり、快適な温調とは言えないものであった。
【００７４】
本実施例により、夏季においては２８℃で人体を冷やし続け、冬季においては３２℃で人体を暖め続けるので、カーエアコンのように空気が乾燥して呼吸器系を痛めてしまったり、人体に高温或いは低温の空気を直接吹き付けることがなくなり、快適な運転環境となる。また、夏季においてはエアコンからの冷たい風を直に浴びることによる体調不良や疲労感が軽減されたり、冬季においては暑すぎて頭がのぼせるようなことがない。
【００７５】
また、座席と接触する臀部や背中などは人体の体表の約半分であるので、人体と蓄熱材との熱交換が効率よく行われる。更に、クッション性も有しており運転者の体型に合わせて座席が馴染むようになるので、座席による圧迫感がなくなる。
【００７６】
本実施例では、敷物を座席に組み込んだものについて説明をしたが、固定手段により敷物を座席の上に敷くようにすることもできる。
【００７７】
前述した実施例１乃至実施例３は、実質的に敷物と直接接触している人体に至適温度を提供し続けるものであり、本発明に係る敷物がこれらの実施例に限定されるものではないということはいうまでもない。
【図面の簡単な説明】
【００７８】
【図１】本発明に係る敷物を使用した状態を示す概略図である。
【図２】本発明に係る敷物の上に使用者が就寝している状態を示す図である。
【図３】本発明に係る敷物の使用者の東部に位置する部分をマクラ譲渡したものを示す概略図である。
【図４】本発明に係る敷物の断面図である。
【図５】本発明に係る敷物の電熱体を使用しない場合の断面図である。
【図６】本発明に係る敷物の平面図である。
【図７】本発明に係る他の敷物の平面図である。
【図８】本発明に係る敷物の一部拡大断面図である。
【図９】本発明に係る敷物の製造方法を示す図である。（Ａ）は蓄熱材を充填した状態、（Ｂ）は間仕切りを形成した状態、（Ｃ）はｍ−ｎ線で１ユニットに切り離した状態である。
【図１０】本発明に係る他の敷物の裏面図である。
【図１１】本発明に係る敷物の拡大図である。（イ）は側面図、（ロ）は平面図である。
【図１２】（イ）電熱体の電流方向を説明する図、（ロ）スリットの形成された電熱体を示す図である。
【図１３】蓄熱材の温度特性を示す図である。（Ａ）は冷却状態と加熱状態にあるもの、（Ｂ）は加熱状態、（Ｃ）は冷却状態を示す。
【図１４】本発明に係る敷物の第二の実施例を説明する図である。
【図１５】本発明に係る敷物を自動車などのシートに使用する場合の説明図である。
【符号の説明】
【００７９】
Ａ  敷物
ｈ  電熱体
Ｍ  使用者
ｓ  スリット（絶縁帯）
１  クッション片
１ａ  熱圧着痕
１ｃ  シール
１ｄ  ナイロンフィルム
１ｅ  直鎖状低分子量ポリエチレンフィルム
３  蓄熱材
９  電極
１０  布帛
１２  袋
１２ａ  上側の袋
１２ｂ  下側の袋
２０  ベッド
２２  マットレス
４０  エアコン
４１  冷風
【図１】
2009011688.tif 000003
【図２】
2009011688.tif 000004
【図３】
2009011688.tif 000005
【図４】
2009011688.tif 000006
【図５】
2009011688.tif 000007
【図６】
2009011688.tif 000008
【図７】
2009011688.tif 000009
【図８】
2009011688.tif 000010
【図９】
2009011688.tif 000011
【図１０】
2009011688.tif 000012
【図１１】
2009011688.tif 000013
【図１２】
2009011688.tif 000014
【図１３】
2009011688.tif 000015
【図１４】
2009011688.tif 000016
【図１５】
2009011688.tif 000017